(57)【特許請求の範囲】
【請求項１】
記録媒体を内蔵したカートリッジを複数収容可能なマガジンと、前記マガジンを二段に収容可能な筐体と、を有して構成されたライブラリ装置であって、
前記カートリッジに対してデータの読み書きを行うドライブ装置と前記マガジンとの間の搬送に際して前記カートリッジの保持を行うピッカ部及び前記マガジンの挿抜方向と段配置方向に前記ピッカ部を移動させるベース部を備えたアクセッサを前記筐体内に設け、
前記マガジンは、挿抜方向に沿った段差が形成された段差部材を有し、
前記筐体は、前記マガジンと前記アクセッサの間に回転可能に設けられ、前記段差部材の段差に当接するように位置するストッパ部及び前記アクセッサのマガジン挿抜方向の移動領域上に位置するリリース部を備えるロック部材と、前記ロック部材の前記ストッパ部を前記段差部材の方向に付勢する付勢部材と、を有し、
前記マガジンの前記段差部材に対する前記ストッパ部の当接を解除することで前記マガジンのロックが解除され、
上段に収容された前記マガジンの前記段差部材に対する前記ストッパ部の当接の解除は、該ストッパ部を備える前記ロック部材の前記リリース部を前記ピッカ部が押圧することで行い、下段に収容された前記マガジンの前記段差部材に対する前記ストッパ部の当接の解除は、該ストッパ部を備える前記ロック部材の前記リリース部を前記ベース部が押圧することで行い、
前記ピッカ部及び前記ベース部のマガジン抜き出し方向への移動並びに前記ピッカ部のマガジン段配置方向への移動に応じて、上段に収容された前記マガジンのロック解除、下段に収容された前記マガジンのロック解除又は上下段に収容された前記マガジンのロック解除を行うことを特徴とするライブラリ装置。
【請求項２】
上段に収容された前記マガジンの前記段差部材の段差に当接する前記ストッパ部の当接領域は、下段に収容された前記マガジンの前記段差部材の段差に当接する前記ストッパ部の当接領域より小さいことを特徴とする請求項１に記載のライブラリ装置。
【請求項３】
前記ピッカ部及び前記ベース部のマガジン抜き出し方向への移動並びに前記ピッカ部のマガジン段配置方向への移動に応じて、前記ピッカ部及び前記ベース部は、前記ロック部材の前記ストッパ部による前記段差部材への当接を解除することを特徴とする請求項１又は２に記載のライブラリ装置。
【請求項４】
前記ピッカ部及び前記ベース部がマガジン抜き出し方向に第１の位置まで移動した場合、前記ベース部は、下段に収容された前記マガジンの前記段差部材との間に配置された前記ロック部材の前記リリース部を押圧し、前記ピッカ部は、上段に収容された前記マガジンの前記段差部材との間に配置された前記ロック部材の前記リリース部を押圧して該ロック部材の前記ストッパ部による前記段差部材への当接を解除することを特徴とする請求項１から３のいずれか１項に記載のライブラリ装置。
【請求項５】
前記ピッカ部及び前記ベース部がマガジン抜き出し方向に第２の位置まで移動した場合、前記ピッカ部は、上段に収容された前記マガジンの前記段差部材との間に配置された前記ロック部材の前記リリース部を押圧して該ロック部材の前記ストッパ部による前記段差部材への当接を解除し、前記ベース部は、下段に収容された前記マガジンの前記段差部材との間に配置された前記ロック部材の前記リリース部を押圧して該ロック部材の前記ストッパ部による前記段差部材への当接を解除することを特徴とする請求項１から４のいずれか１項に記載のライブラリ装置。
【請求項６】
前記ピッカ部が上段に収容された前記マガジンの前記段差部材との間に配置された前記ロック部材より下方に移動した後、前記ピッカ部及び前記ベース部がマガジン抜き出し方向に第２の位置まで移動した場合、前記ベース部は、下段に収容された前記マガジンの前記段差部材との間に配置された前記ロック部材の前記リリース部を押圧して該ロック部材の前記ストッパ部による前記段差部材への当接を解除することを特徴とする請求項１から５のいずれか１項に記載のライブラリ装置。
【発明の詳細な説明】
【技術分野】
【０００１】
本発明は、ライブラリ装置に関し、特に、記録媒体を内蔵したカートリッジを複数収容可能なマガジンを２段に収容できるライブラリ装置に好ましく適用される技術に関するものである。
【背景技術】
【０００２】
今日、コンピュータで利用するプログラムやデータを高い信頼性で保存するために、テープライブラリ装置やディスクライブラリ装置が利用されている。一般に、ライブラリ装置は、複数のカートリッジ（記憶媒体、テープライブラリ装置の場合は磁気テープとリールとを一体化したもの）を収容するマガジンと呼ばれる部材及びアクセッサと呼ばれる搬送装置を備えている。
【０００３】
マガジンは、内部が複数のセルに分割されており、各々のセルにはカートリッジを１つずつ収容できるようになっている。アクセッサは、任意のマガジンの任意のセルに収容されているカートリッジを取り出してドライブ装置へセットする動作や、ドライブ装置から取り出したカートリッジを任意のマガジンの任意のセルに収容する動作を行う。
【０００４】
このようなライブラリ装置においては、マガジン内の一部のセルのみカートリッジを交換したり、装填したりする場合には、そのセルの部分までマガジンを引き出すことにより、カートリッジをセルから取り出したり、新たなカートリッジをセルに装填したりすることができる。その一方で、マガジン全体を装置から引き出せるようにもなっており、マガジン自体を装置外へ取り出したり、別のマガジンを装置に装填したりすることが可能である。
【０００５】
ライブラリ装置からのマガジンの引き出しに関して、例えば特許文献１には、トレイ（マガジン）を全解放するモードと途中まで解放するメールスロットモードとを設定することにより、トレイを段階的に解放する（引き出す）ことができるライブラリ装置が開示されている。
【０００６】
また、特許文献２には、構成部品が少なく簡素な機構でマガジンの引き出し量を段階的に変化させることができるマガジン保持構造を備えたライブラリ装置が開示されている。当該ライブラリ装置では、マガジンは底面に段差を複数備えたレールを有し、装置本体は、マガジンの底面と同一面内で回転可能なロックレバーと、ロックレバーをマガジンの方向に付勢するスプリングと、マガジンの横を挿抜方向に移動可能なアクセッサと、を有する。そして、各段差において、アクセッサがスプリングによる付勢方向と反対方向にロックレバーを回転させることにより、ロックレバーと段差との係合が解除され、マガジンの段階的な引き出しを可能としている。
【先行技術文献】
【特許文献】
【０００７】
【特許文献１】特開平１０−２５５３７２号公報
【特許文献２】特開２００９−２３０８３９号公報
【発明の概要】
【発明が解決しようとする課題】
【０００８】
特許文献１で開示されているライブラリ装置は、マガジンを装置外へ送り出すために専用のアクチュエータを用いている。このため、構成部品が増えるだけでなく、専用の制御
回路が必要となり、製造コストが高くなってしまう。また、装置内に可動部分が増加するため、動作不良の原因となる場合もあり、装置の信頼性、耐久性が低くなる要因となっていた。
【０００９】
特許文献２で開示されているライブラリ装置は、構成部品が少なく簡素な機構でマガジンの引き出し量を段階的に変化させることができ、低コスト化が実現できるものとなっている。ただし、該ライブラリ装置では、アクセッサが行うロック解除は１つのマガジンに対してのみとなっている。このため、マガジンを２段に収納するような場合には、いずれかのマガジンをロック解除した後に他方のマガジンのロック解除を行うというように、２つのマガジンを同時にロック解除することができない。ユーザの利便性を考慮すると、２段に収納したマガジンを同時にイジェクトできるようにすることが望ましい。
【００１０】
そこで、本発明は、マガジンを２段に収納可能なライブラリ装置において、構成部品が少なく簡素な機構で２つのマガジンを同時にイジェクトできるようにすることを目的とする。
【課題を解決するための手段】
【００１１】
本発明のライブラリ装置は、記録媒体を内蔵したカートリッジを複数収容可能なマガジンと、マガジンを２段に収容可能な筐体と、を有して構成されたライブラリ装置であって、カートリッジに対してデータの読み書きを行うドライブ装置とマガジンとの間の搬送に際してカートリッジの保持を行うピッカ部及びマガジンの挿抜方向と段配置方向にピッカ部を移動させるベース部を備えたアクセッサを筐体内に設け、マガジンは、挿抜方向に沿った段差が形成された段差部材を有し、筐体は、マガジンとアクセッサの間に回転可能に設けられ、段差部材の段差に当接するように位置するストッパ部及びアクセッサのマガジン挿抜方向の移動領域上に位置するリリース部を備えるロック部材と、ロック部材のストッパ部を段差部材の方向に付勢する付勢部材と、を有し、マガジンの段差部材に対するストッパの当接を解除することでマガジンのロックが解除され、ピッカ部及びベース部のマガジン抜き出し方向への移動並びにピッカ部のマガジン段配置方向への移動に応じて、上段に収容されたマガジンのロック解除、下段に収容されたマガジンのロック解除又は上下段に収容されたマガジンのロック解除を行う。
【００１２】
また、本発明のライブラリ装置は、上記のライブラリ装置において、上段に収容された前記マガジンの前記段差部材に対する前記ストッパの当接の解除は、該ストッパ部を備える前記ロック部材の前記リリース部を前記ピッカ部が押圧することで行い、下段に収容された前記マガジンの前記段差部材に対する前記ストッパの当接の解除は、該ストッパ部を備える前記ロック部材の前記リリース部を前記ベース部が押圧することで行うものであってもよい。
【００１３】
また、本発明のライブラリ装置は、上記のライブラリ装置において、上段に収容されたマガジンの段差部材の段差に当接するストッパ部の当接領域は、下段に収容されたマガジンの段差部材の段差に当接するストッパ部の当接領域より小さいものであってもよい。
【００１４】
また、本発明のライブラリ装置は、上記のライブラリ装置において、ピッカ部及びベース部のマガジン抜き出し方向への移動並びにピッカ部のマガジン段配置方向への移動に応じて、ピッカ部及びベース部は、ロック部材のストッパ部による段差部材への当接を解除するものであってもよい。
【００１５】
また、本発明のライブラリ装置は、上記のライブラリ装置において、ピッカ部及びベース部がマガジン抜き出し方向に第１の位置まで移動した場合、ベース部は、下段に収容されたマガジンの段差部材との間に配置されたロック部材のリリース部を押圧し、ピッカ部
は、上段に収容されたマガジンの段差部材との間に配置されたロック部材のリリース部を押圧して該ロック部材のストッパ部による段差部材への当接を解除するものであってもよい。
【００１６】
また、本発明のライブラリ装置は、上記のライブラリ装置において、ピッカ部及びベース部がマガジン抜き出し方向に第２の位置まで移動した場合、ピッカ部は、上段に収容されたマガジンの段差部材との間に配置されたロック部材のリリース部を押圧して該ロック部材のストッパ部による段差部材への当接を解除し、ベース部は、下段に収容されたマガジンの段差部材との間に配置されたロック部材のリリース部を押圧して該ロック部材のストッパ部による段差部材への当接を解除するものであってもよい。
【００１７】
また、本発明のライブラリ装置は、上記のライブラリ装置において、ピッカ部が上段に収容されたマガジンの段差部材との間に配置されたロック部材より下方に移動した後、ピッカ部及びベース部がマガジン抜き出し方向に第２の位置まで移動した場合、ベース部は、下段に収容されたマガジンの段差部材との間に配置されたロック部材のリリース部を押圧して該ロック部材のストッパ部による段差部材への当接を解除するものであってもよい。
【発明の効果】
【００１８】
本発明によれば、マガジンを２段に収納可能なライブラリ装置において、構成部品が少なく簡素な機構で２つのマガジンを同時にイジェクトすることが可能となる。
【図面の簡単な説明】
【００１９】
【図１】本発明の実施形態に係るライブラリ装置の全体図（斜視図）である。
【図２】本発明の実施形態に係るライブラリ装置の全体図（斜視図）である。
【図３】本発明の実施形態に係るアクセッサの全体図（側面図）である。
【図４】本発明の実施形態に係るライブラリ装置におけるマガジンのロック機構の説明図である。
【図５】本発明の実施形態に係るライブラリ装置におけるマガジンロックの説明図である。
【図６】本発明の実施形態に係るライブラリ装置におけるマガジンロック解除（上段マガジンイジェクト）の説明図である。
【図７】本発明の実施形態に係るライブラリ装置におけるマガジンロック解除（両マガジンイジェクト）の説明図である。
【図８】本発明の実施形態に係るライブラリ装置におけるマガジンロック解除（下段マガジンイジェクト）の説明図である。
【発明を実施するための形態】
【００２０】
以下、図面を参照して本発明の実施形態について説明する。
【００２１】
図１は、本発明の実施形態に係るライブラリ装置の構成を示す全体図（斜視図）である。本実施形態のライブラリ装置１００は、装置本体２０にマガジン１０ａ及び１０ｂを２段に挿入して収容可能な構造となっている。マガジン１０ａ及び１０ｂは、それそれ、上下２段、挿抜方向に５列の計１０個のカートリッジを収納可能な構造である。マガジン１０ａ及び１０ｂが配置される箇所の側方にはアクセッサ３０が配置されており、マガジン１０ａ及び１０ｂの挿抜方向に沿って往復移動可能となっている。
【００２２】
アクセッサ３０は、マガジン１０ａ及び１０ｂからのカートリッジの取り出しや収容、ドライブ装置４０へのカードリッジのセット及び取り外しを行うピッカ部３１と、マガジン１０ａ及び１０ｂとドライブ装置４０との間におけるピッカ部３１の移動を行うベース
部３２と、を有して構成される。アクセッサ４は、通常の動作（カートリッジの取り出し・搬送・セット（ドライブ装置４０への）や、カートリッジの取り出し・搬送・収納（マガジン１０ａあるいは１０ｂへの））の際の移動範囲の延長上に、マガジンの取り出し規制（以下、ロックという）解除動作時の移動範囲が設定されている。マガジンのロック解除動作については後段において詳細に説明する。アクセッサ３０は、不図示のコントローラから入力される制御信号に応じて、カートリッジの取り出しや収納、移動（カートリッジの搬送）を行う。
【００２３】
図２に、本実施形態の装置本体２０の構成を示す。マガジン１０ａを収容するマガジン収容部２５ａには、ロックレバー２１ａ及びレール２４ａが設置されている。ロックレバー２１ａは、固定シャフト２２ａを介して、筐体２７（マガジン収容部２５ａにおける挿入口近傍）に設置されており、筐体面と略平行面内で回転可能である。ロックレバー２１ａは、マガジン１０ａが収容された状態においては、その一方の端部（ストッパ部２１１ａ（図５））がマガジン１０ａの一部（底面１１ａ（後述））と対向する位置に設置されている。また、ロックレバー２１１の他方の端部（リリース部２１２ａ（図５））は、アクセッサ３０の軌道上に位置するように配置されており、アクセッサ３０が押圧することによってトルクが発生し、固定シャフト２２ａを枢軸として回転する。さらに、ロックレバー２１ａには不図示のスプリングが取り付けられており、その一方の端部（ストッパ部２１１ａ（図５））は、マガジン１０ａの一部（底面１１ａ（後述））の側に付勢されている。なお、マガジン１０ｂを収容する下段のマガジン収容部２５ｂについても同様の構成である。
【００２４】
図３に、本実施形態のアクセッサ３０の構成を示す。図３は、ピッカ部３１がドライブ装置４０と対向する面を正面とした場合、アクセッサ３０を側面（アクセッサ３０移動方向）から見た図である。アクセッサ３０は、上述したように、ピッカ部３１及びベース部３２を備えて構成される。ベース部３２は、所定の駆動手段を有し、ピッカ部３１を支持し、マガジン１０ａ及び１０ｂとドライブ装置４０との間でカートリッジの取り出し・搬送・セット・収納を行うために、ピッカ部３１をマガジンの挿抜方向及び配置方向（該挿抜方向と垂直な方向）に移動させる。すなわち、ベース部３２は、図３（ａ）及び（ｂ）に示すように上下方向にピッカ部３１を移動させる。
【００２５】
また、本発明では、上段のマガジン１０ａのロック解除はピッカ部３１が行い、下段のマガジン１０ｂのロック解除はベース部３２が行うように構成している。そして、ピッカ部３１及びベース部３２には、図３に示すように、ロック解除に際してロックレバー２１ａ及び２１ｂの一方の端部（リリース部２１２ａ及び２１２ｂ（図５））を押圧する押圧部３１１及び３２１が設けられている。
【００２６】
図４に、筐体２７内に収容されたマガジン１０ｂの状態を示す。ここでは、筐体２７を透過してマガジン１０ｂの底面１１ｂを下方から見た状態を表している。マガジン１０ｂの底面１１ｂは、ベース部３２と対向する方向に対して段差が形成されている。マガジン１０ｂが完全に筐体２７に収容されている状態では、図４（ａ）に示すように、ロックレバー２１ｂの一方の端部（ストッパ部２１１ｂ（図５））は、スプリング２３ｂの弾性力によってマガジン側に付勢され、底面１１ｂの段差部分に当接している。つまり、この状態では、ロックレバー２１ｂのストッパ部２１１ｂ（図５）と底面１１ｂの段差部分により、マガジン１０ｂの抜き出しが規制される。
【００２７】
そこで、図４（ｂ）に示すように、ベース部３２によりアクセッサ３０をマガジン抜き出し方向に移動させると、ベース部３２の押圧部３２１は、ロックレバー２１ｂの他方の端部（リリース部２１２ｂ（図５））を押圧し、スプリング２３ｂの弾性力に打ち勝ってロックレバー２１１ｂを回転させるようとする。そして、アクセッサ３０がマガジン抜き
出し方向にさらに移動すると、図４（ｃ）に示すように、ロックレバー２１ｂのストッパ部２１１ｂは段差部分への当接状態が解消するため、マガジン１０ｂはロックが解除され、抜き出すことが可能となる。
【００２８】
図４ではマガジン１０ｂのロック解除について述べているが、筐体２７内の上段に収容されたマガジン１０ａについても同様である。すなわち、マガジン１０ａの底面１１ａはベース部３２との対向面に段差が形成されており、ロックレバー２１ａのストッパ部２１１ａと底面１１ａの段差部分によりマガジン１０ａの抜き出しが規制される。そして、アクセッサ３０のマガジン抜き出し方向への移動で、ベース部３２に支持されているピッカ部３１の押圧部３１１がロックレバー２１ａのリリース部２１２ａを押圧しロックレバーを回転させることで、マガジン１０ａのロックが解除される。
【００２９】
本発明では、上段マガジンに対するロック機構と下段マガジンに対するロック機構との間で、マガジンの底面に形成された段差部分へのロックレバー（ストッパ部）の当接領域に違いを持たせ、当接状態解消に必要なアクセッサ（押圧部）の移動距離に差を設けている。また、ピッカ部をマガジン配置方向（上下方向）に移動可能に構成し、上段マガジンのロック解除をあえて行わないようにできるようにしている。すなわち、アクセッサ（押圧部）のマガジン抜き出し方向への移動とピッカ部のマガジン配置方向（上下方向）への移動とに基づいて、いずれのマガジンのロックを解除するかについて調整可能に構成している。以下、図５から８を参照して説明する。
【００３０】
図５は、両マガジンをロックする場合の説明図である。図５では、上側に、上段のマガジン１０ａをロック及びロック解除するための機構を示し、下側に、下段のマガジン１０ｂをロック及びロック解除するための機構を示している。また、上側の図及び下側の図は、マガジンの底面１１ａ及び１１ｂ、ロックレバー２１ａ及び２１ｂ、固定シャフト２２ａ及び２２ｂ、アクセッサ（ピッカ部３１及びベース部３２）を上方から透過して見たものを表している。なお、図６から８においても同様である。
【００３１】
両マガジンロックの場合、上段において、ロックレバー２１ａのストッパ部２１１ａが不図示のスプリング２３ａにより付勢されてマガジン１０ａの底面１１ａの段差部分に当接し、ピッカ部３１の押圧部３１１はロックレバー２１ａのリリース部２１２ａに押圧していないため、マガジン１０ａのロック状態は維持されている。また、下段においても、同様に、マガジン１０ａのロック状態は維持されている。
【００３２】
図６は、上段に収容されたマガジンのロックのみを解除して該マガジンをイジェクトする場合の説明図である。上段マガジンイジェクトの場合、アクセッサ３０（ピッカ部３１及びベース部３２）を所定の位置（第１の位置）まで移動させる。すると、上段において、ピッカ部３１の押圧部３１１がロックレバー２１ａのリリース部２１２ａを押圧して、ロックレバー２１ａのストッパ部２１１ａによるマガジン１０ａの底面１１ａの段差部分への当接が解消し、マガジン１０ａに対するロックが解除される。
【００３３】
一方、下段においては、ベース部３２の押圧部３２１がロックレバー２１ｂのリリース部２１２ｂを押圧するが、ロックレバー２１ｂのストッパ部２１１ｂによるマガジン１０ｂの底面１１ｂの段差部分への当接は解消せず、マガジン１０ｂに対するロックは解除されずに維持される。これは、ロックレバー２１ｂのストッパ部２１１ｂはロックレバー２１ａのストッパ部２１１ａより端部の幅が広く、マガジン底面の段差部分に対する当接領域が大きいためで、同じ距離だけ移動させた場合、幅の狭いロックレバー２１ａのストッパ部２１１ａのみマガジン底面の段差部分への当接状態が解消する。
【００３４】
図７は、両方のマガジンのロックを解除して該マガジンをイジェクトする場合の説明図
である。両マガジンイジェクトの場合、アクセッサ３０（ピッカ部３１及びベース部３２）を第１の位置よりさらにマガジン抜き出し方向の位置（第２の位置）まで移動させる。すると、上段において、ピッカ部３１の押圧部３１１がロックレバー２１ａのリリース部２１２ａを押圧して、ロックレバー２１ａのストッパ部２１１ａによるマガジン１０ａの底面１１ａの段差部分への当接が解消し、マガジン１０ａに対するロックが解除される。そして、下段においても、ベース部３２の押圧部３２１がロックレバー２１ｂのリリース部２１２ｂを押圧して、ロックレバー２１ｂのストッパ部２１１ｂによるマガジン１０ｂの底面１１ｂの段差部分への当接が解消し、マガジン１０ｂに対するロックも解除される。
【００３５】
図８は、下段に収容されたマガジンのロックのみを解除して該マガジンをイジェクトする場合の説明図である。下段マガジンイジェクトの場合、まずピッカ部３１を下段のマガジン１０ｂの配置方向（下方向）に移動させ（例えば図３（ａ）の状態から図３（ｂ）の状態となるように移動する）、その後にアクセッサ３０（ピッカ部３１及びベース部３２）を第２の位置まで移動させる。ここで、アクセッサ３０（ピッカ部３１及びベース部３２）をマガジン抜き出し方向に移動させる前にピッカ部３１を下方向に移動させるのは、ピッカ部３１によるロック解除ができない状態を作り出すためである。仮に、アクセッサ３０（ピッカ部３１及びベース部３２）のマガジン抜き出し方向への移動を先に行った場合には、両マガジンのロックが解除されてしまう（図７と同様）。
【００３６】
上記のようにアクセッサ３０を移動した後は、下段において、ベース部３２の押圧部３２１がロックレバー２１ｂのリリース部２１２ｂを押圧して、ロックレバー２１ｂのストッパ部２１１ｂによるマガジン１０ｂの底面１１ｂの段差部分への当接が解消し、マガジン１０ｂに対するロックが解除される。一方、上段においては、ピッカ部３１の押圧部３１１がロックレバー２１ａのリリース部２１２ａを押圧することはなく、ロックレバー２１ａのストッパ部２１１ａによるマガジン１０ａの底面１１ａの段差部分への当接状態が維持され、マガジン１０ａはロックされたままである。
【００３７】
本実施形態では、ロックレバーのストッパ部の形状によりストッパ部とマガジン底面の段差部分との当接領域に違いを持たせているため、アクセッサ３０を第１の位置まで移動させると上段のマガジン１０ａのロック機構のみ解除させることができ、アクセッサ３０をよりマガジン抜き出し方向の位置である第２の位置まで移動させると下段のマガジン１０ｂのロック機構も解除させることができる。そして、下段のマガジン１０ｂのロック機構のみ解除させたい場合には、ピッカ部３１を下方向に移動させ、アクセッサ３０を第２の位置まで移動させる。このように、ロックレバーのストッパ部とマガジン底面の段差部分との当接領域の相違、アクセッサ３０（ピッカ部３１及びベース部３２）のマガジン抜き出し方向への移動、ピッカ部３１のマガジン配置方向への移動に応じて、マガジンのロック解除を調整可能にしている。
【００３８】
なお、上述する実施形態は、本発明の好適な実施形態であり、上記実施形態のみに本発明の範囲を限定するものではなく、本発明の要旨を逸脱しない範囲において種々の変更を施した形態での実施が可能である。
【００３９】
例えば、ロックレバーのストッパ部とマガジン底面の段差部分との当接領域に違いを持たせる手法として、上記実施形態ではストッパ部の形状が異なるロックレバーを上下段で用いたが、同じ形状のロックレバーを用いて構成することも可能である。この場合、同じ形状のロックレバーを異なる当接領域となるように位置をずらして配置すればよい。
【００４０】
また例えば、マガジンのロック機構として、本実施形態ではマガジン底面と水平に回転可能にロックレバーを設置し、ロックレバーの回転方向に対向する方向に対してマガジン
底面に段差を形成しているが、この位置関係を９０°ずらして構成することも可能である。すなわち、マガジン底面と垂直に回転可能な位置でロックレバーを設置し、このロックレバーの回転方向に対向する方向に対してマガジン底面に段差を形成してもよい。
【符号の説明】
【００４１】
１０    マガジン
１１    底面
２０    装置本体
２１    ロックレバー
２２    固定シャフト
２３    スプリング
２４    レール
２５    マガジン収容部
２７    筐体
３０    アクセッサ
３１    ピッカ部
３２    ベース部
４０    ドライブ装置
１００    ライブラリ装置
２１１    ストッパ部
２１２    リリース部
３１１，３２１    押圧部
【図１】
0005596481.tif 000002
【図２】
0005596481.tif 000003
【図３】
0005596481.tif 000004
【図４】
0005596481.tif 000005
【図５】
0005596481.tif 000006
【図６】
0005596481.tif 000007
【図７】
0005596481.tif 000008
【図８】
0005596481.tif 000009